(57)【特許請求の範囲】
【請求項１】
燃料極、空気極及び電解質層を有し、積層された複数の単セルと、前記複数の単セルの積層方向の両端に配置されるとともに前記複数の単セルをその積層方向に固定する集電板とを備える燃料電池スタックであって、
前記燃料電池スタックの側面に当接して配置される平板状の治具と、
前記治具に設けられたセンサ保持部と、
前記センサ保持部に保持された温度センサと、を有する温度測定用ユニットを備え、
前記温度測定用ユニットの前記治具は、絶縁材料からなる複数の絶縁板を積層して形成され、
前記温度センサは、先端部を挿入した状態で前記センサ保持部に保持された
ことを特徴とする燃料電池スタック。
【請求項２】
前記治具を構成する前記複数の絶縁板のうち、前記燃料電池スタックの側面に当接する絶縁板は、他の絶縁板よりも厚みが薄く形成されていることを特徴とする請求項１に記載の燃料電池スタック。
【請求項３】
前記治具には、前記燃料電池スタックの側面に当接して位置決め固定される治具固定部が設けられていることを特徴とする請求項１または２に記載の燃料電池スタック。
【請求項４】
前記治具は、
前記燃料電池スタックの側面に当接する内側絶縁板と、
前記センサ保持部を構成する穴部であり前記温度センサの先端部が挿入されるスリット状の第１貫通穴が形成され、前記燃料電池スタックの側面の反対側に配置される外側絶縁板と、
前記センサ保持部を構成する穴部であり前記第１貫通穴に連通するスリット状の第２貫通穴が形成され、前記内側絶縁板と前記外側絶縁板の間に配置される中間絶縁板と
を有することを特徴とする請求項１乃至３のいずれか１項に記載の燃料電池スタック。
【請求項５】
前記センサ保持部は、前記治具において前記単セルの積層方向に沿った異なる位置に複数形成されていることを特徴とする請求項１乃至４のいずれか１項に記載の燃料電池スタック。
【請求項６】
前記温度センサは熱電対であり、
前記治具において、前記センサ保持部には前記熱電対の先端に設けられた温度測定部が保持され、前記熱電対における前記温度測定部以外の配線部分を屈曲させて配置させる窓部が形成されている
ことを特徴とする請求項１乃至５のいずれか１項に記載の燃料電池スタック。
【請求項７】
前記治具固定部には固定穴が設けられるとともに、前記固定穴を用いてねじ止めすることにより、前記治具が前記集電板の側端面に当接し、かつ前記複数の絶縁板が積層された状態で固定されていることを特徴とする請求項３に記載の燃料電池スタック。
【請求項８】
請求項１乃至７のいずれか１項に記載の燃料電池スタックと、前記燃料電池スタックの下方に配置され、発電のための補助的な処理を行う発電補助部とを備え、
前記治具は、前記複数の絶縁板が前記燃料電池スタックの下方の前記発電補助部に対向する位置まで設置されるとともに、前記燃料電池スタックに対応する位置と前記発電補助部に対応する位置とに前記センサ保持部がそれぞれ形成されていることを特徴とする燃料電池モジュール。
【請求項９】
請求項１乃至７のいずれか１項に記載の燃料電池スタックと、
断熱部材を用いて構成され、前記燃料電池スタックを収容する断熱容器と
を備えたことを特徴とする燃料電池。
【発明の詳細な説明】
【技術分野】
【０００１】
本発明は、積層された複数の単セルと、複数の単セルの積層方向の両端に配置されるとともに複数の単セルをその積層方向に固定する集電板とを備えた燃料電池スタック、その燃料電池スタックを備えた燃料電池モジュール、及び燃料電池スタックを収容する容器を備えた燃料電池に関するものである。
【背景技術】
【０００２】
従来より、発電装置の一種である燃料電池として、例えば固体電解質層（固体酸化物）を備えた固体酸化物形燃料電池（Solid Oxide Fuel Cell ；ＳＯＦＣ）が知られている。固体酸化物形燃料電池は、エネルギー変換効率が５０％以上と非常に高く、かつ、小型化が可能であるため、家庭用コジェネレーションシステムや自動車の動力源として開発が行われている。
【０００３】
具体的には、固体酸化物形燃料電池は、燃料ガスに接する燃料極と酸化剤ガスに接する空気極とが固体電解質層の両側に配置された平板状の単セルを備えている。なお、燃料ガスは水素を生成するためのものであり、酸化剤ガスは酸素を生成するためのものである。そして、水素と酸素とが固体電解質層を介して反応（発電反応）することにより、空気極を正極、燃料極を負極とする直流の電力が発生するようになっている。
【０００４】
一般に、固体酸化物形燃料電池は、平板形の発電セルを複数積層してなる燃料電池スタックの形態で使用され、その発電時には７００℃〜１０００℃の高温となる。このため、燃料電池スタックを断熱容器内に収納して保温することで固体酸化物形燃料電池の発電効率が高められている。また、固体酸化物形燃料電池のような高温タイプの燃料電池では、発電効率を良好な状態に保つために、熱電対によって燃料電池スタックの温度を検出し、その検出結果に基づいて燃料電池スタックの温度を管理している（例えば、特許文献１参照）。
【０００５】
特許文献１では、シース熱電対を用いて燃料電池の温度を検出する手法が開示されている。具体的には、シース熱電対は、金属チューブ内に絶縁材を介して一対の熱電体素線を配して構成される。そして、シース熱電対の一端部側（先端部側）における金属チューブの外面全体に電気絶縁性ペーストが塗布され、そのシース熱電対の一端部に電気絶縁性を有する第１保護管及び第２保護管が外装される。また、燃料電池スタックにおいて、金属セパレータの外周部には挿入孔が穿設されており、その挿入孔に、金属チューブと第１保護管との間、及び第１保護管と第２保護管との間に隙間を設けた状態でシース熱電対の一端部が挿入されている。
【先行技術文献】
【特許文献】
【０００６】
【特許文献１】特開２０１０−２３８４３５号公報
【発明の概要】
【発明が解決しようとする課題】
【０００７】
ところで、特許文献１に開示されている従来の燃料電池スタックでは、金属セパレータの部分に、温度測定部であるシース熱電対の一端部を保持するために絶縁性ペーストや保護管を取り付けている。この手法では、金属セパレータに挿入孔を設けるための加工が必要であり、その挿入孔にシース熱電対を取り付ける際には、絶縁性保護が必要となる。さらに、シース熱電対の金属チューブと金属セパレータの金属成分との高温による相互拡散を防ぐために、絶縁性ペーストや絶縁性の保護管を二重に設ける必要があり、絶縁処理を行うのは容易ではなかった。また、シース熱電対が断線した場合やシース熱電対の固定が不安定となった場合には、燃料電池スタックと断線部分とが接触することによりショート故障が生じることが懸念される。さらには、シース熱電対の固定が外れた場合には、測定温度の検出精度が低下して、燃料電池の温度管理を正確に行うことができなくなってしまう。また、シース熱電対の故障時等においてその熱電対の交換を行う場合には、絶縁処理を再度行う必要があるため、メンテナンスコストが増大するといった問題も生じる。
【０００８】
本発明は上記の課題に鑑みてなされたものであり、その目的は、燃料電池スタックに対して温度センサを容易に固定することができる燃料電池スタック、その燃料電池スタックを備える燃料電池モジュール、及び燃料電池スタックを収容する容器を備えた燃料電池を提供することにある。
【課題を解決するための手段】
【０００９】
そして上記課題を解決するための手段（手段１）としては、燃料極、空気極及び電解質層を有し、積層された複数の単セルと、前記複数の単セルの積層方向の両端に配置されるとともに前記複数の単セルをその積層方向に固定する集電板とを備える燃料電池スタックであって、前記燃料電池スタックの側面に当接して配置される平板状の治具と、前記治具に設けられたセンサ保持部と、前記センサ保持部に保持された温度センサと、を有する温度測定用ユニットを備え、前記温度測定用ユニットの前記治具は、絶縁材料からなる複数の絶縁板を積層して形成され、前記温度センサは、先端部を挿入した状態で前記センサ保持部に保持されたことを特徴とする燃料電池スタックがある。
【００１０】
手段１に記載の発明によると、燃料電池スタックには、絶縁材料からなる複数の絶縁板を積層して形成された平板状の治具、センサ保持部、及び温度センサを有する温度測定用ユニットが備えられている。そして、温度測定用ユニットにおいて、平板状の治具が燃料電池スタックの側面に当接して配置され、その治具に設けられたセンサ保持部には、温度センサの先端部が挿入された状態で保持される。このように、本発明では、複数の絶縁板を積層した比較的簡単な構成の温度測定用ユニットを用いることにより、燃料電池スタックに対して温度センサを容易に固定することができる。また、センサ保持部から温度センサが外れた場合や温度センサが断線して温度センサの固定が外れた場合であっても、絶縁材料からなる平板状の治具により、温度センサと燃料電池スタックとの絶縁が確保される。このため、従来のような燃焼電池スタックと温度センサとのショートを防止することができる。
【００１１】
治具を構成する複数の絶縁板のうち、燃料電池スタックの側面に当接する絶縁板は、他の絶縁板よりも厚みが薄く形成されていてもよい。このようにすると、センサ保持部に保持される温度センサは、薄い絶縁板を介して燃料電池スタックの温度を測定することとなるため、温度測定の精度を高めることができる。また、燃料電池スタックの側面に当接しない絶縁板を厚くすることで、治具の強度を十分に確保することができる。
【００１２】
治具には、燃料電池スタックの側面に当接して位置決め固定される治具固定部が設けられていてもよい。この場合、燃料電池スタックにおいて温度測定が必要な所望の位置に温度センサを位置決めすることができるため、その温度センサを用いて燃料電池スタックの温度を正確に測定することができる。
【００１３】
治具は、燃料電池スタックの側面に当接する内側絶縁板と、センサ保持部を構成する穴部であり温度センサの先端部が挿入されるスリット状の第１貫通穴が形成され、燃料電池スタックの側面の反対側に配置される外側絶縁板と、センサ保持部を構成する穴部であり第１貫通穴に連通するスリット状の第２貫通穴が形成され、内側絶縁板と外側絶縁板の間に配置される中間絶縁板とを有していてもよい。このような３枚の絶縁板を積層することにより、外側絶縁板の第１貫通穴、中間絶縁板の第２貫通穴、及びそれらを塞ぐ内側絶縁板からなるセンサ保持部を容易に構成することができる。なお、この治具において、燃料電池スタックの側面に当接する内側絶縁板は、センサ保持部が燃料電池スタックの側面に露出しないようにセンサ保持部を塞いでいる。
【００１４】
中間絶縁板の第２貫通穴を外側絶縁板の第１貫通穴よりも長くなるよう形成してもよい。この場合には、センサ保持部が袋小路状の穴部となるため、そのセンサ保持部の端部に温度センサの先端部を確実に保持させることができる。
【００１５】
センサ保持部は、治具において単セルの積層方向に沿った異なる位置に複数形成されていてもよい。この場合、各センサ保持部に保持された温度センサの測定結果によって、燃料電池スタックにおける単セルの積層方向の温度分布を確認することができる。
【００１６】
温度センサは熱電対であり、治具において、センサ保持部には熱電対の先端に設けられた温度測定部が保持され、熱電対における温度測定部以外の配線部分を屈曲させて配置させる窓部が形成されていてもよい。このようにすると、熱電対の配線部分に引っ張る方向の力が作用した場合でも窓部の部分でその力が抑制されるため、センサ保持部に挿入された熱電対の温度測定部がそのセンサ保持部から抜け難くなる。
【００１７】
複数のセンサ保持部には、複数の熱電対がそれぞれ保持されていてもよい。この場合、各センサ保持部に保持された熱電対によって、燃料電池スタックにおける複数個所の温度を測定することができる。また、複数のセンサ保持部には、複数の熱電対がそれぞれ着脱可能な状態で保持されていることがより好ましい。この場合、熱電対の交換を容易に行うことができる。さらに、温度測定用ユニットの治具において、温度測定が必要な箇所のセンサ保持部のみに熱電対を装着し、他のセンサ保持部の熱電対を取り外して燃料電池スタックの温度を測定することができる。この場合、温度測定用ユニットの汎用性が増し、サイズの異なる燃料電池スタックにおいても、温度測定用ユニットを用いた温度測定が可能となる。
【００１８】
治具固定部には固定穴が設けられるとともに、固定穴を用いてねじ止めすることにより、治具が集電板の側端面に当接し、かつ複数の絶縁板が積層された状態で固定されていてもよい。ここで、集電板は、各単セルを締め付けるために十分な強度を有する。また、治具を構成する絶縁板の表面が集電板の側端面に当接することで、治具と集電板とは面同士の接触となる。そして、その接触部となる治具の治具固定部に設けられた固定穴を用いて集電板の側端面にねじ止めすることにより、治具を集電板に確実に固定することができる。さらに、ねじ止めによる治具の固定と同時に複数の絶縁板を積層して一体化した治具を構成できるため、複数の絶縁板を一体化するための部材と固定部材とを別々に設ける必要がなく、治具の部品コストを抑えることができる。また、治具の各絶縁板を集電板にねじ止めしているので、燃料電池スタックに対する温度測定用ユニットの着脱を容易に行うことができる。このため、温度測定用ユニットにおける熱電対の交換を容易に行うことができ、メンテナンスコストを低く抑えることができる。
【００１９】
固定穴を有する治具固定部は、治具において離間した複数箇所に設けられ、複数の固定穴を用いてねじ止めすることにより、治具が両端の集電板の側端面に各々当接した状態で固定されていてもよい。より詳しくは、単セルは平板状部材として構成されおり、燃料電池スタックにおいて、複数の単セルは、上下方向に積層される。この場合、治具は、単セルの積層方向の上端に配置される集電板と下端に配置される集電板とにねじ止めされる。このようにすると、燃料電池スタックにおける上端及び下端の各集電板に温度測定用ユニットの治具をより確実に固定することができる。
【００２０】
複数の絶縁板は、耐熱性の無機絶縁材料からなる。具体的には、複数の絶縁板は、例えばマイカからなる雲母板や、アルミナなどからなるセラミック板を挙げることができる。このような絶縁板を用いて治具を構成する場合、各絶縁板は、高温でも化学的に安定であるため、熱電対や燃料電池スタックとの治具と間での反応を防止することができる。
【００２１】
治具は、セラミックボンドによって複数の絶縁板を互いに接合して一体化したものであってもよい。また、治具固定部には固定穴が設けられるとともに、固定穴を用いてねじ止めすることにより、治具が集電板の側端面に当接し、かつ複数の絶縁板が積層された状態で接合剤を用いることなく互いに固定されていてもよい。この場合、複数の絶縁板を積層した治具を構成するためにセラミックボンドなどの接合剤を用いる必要がないため、温度測定用ユニットの製造コストを低く抑えることができる。
【００２２】
固定穴は、外側絶縁板の端部に設けられる。この場合、外側絶縁板の端部をねじ止めすることにより、外側絶縁板と燃料電池スタックの側面とで内側絶縁板及び中間絶縁板とを挟み込む形で治具を固定することができる。
【００２３】
また、上記課題を解決するための別の手段（手段２）としては、手段１に記載の燃料電池スタックと、前記燃料電池スタックの下方に配置され、発電のための補助的な処理を行う発電補助部とを備え、前記治具は、前記複数の絶縁板が前記燃料電池スタックの下方の前記発電補助部に対向する位置まで設置されるとともに、前記燃料電池スタックに対応する位置と前記発電補助部に対応する位置とに前記センサ保持部がそれぞれ形成されていることを特徴とする燃料電池モジュールがある。
【００２４】
従って、手段２に記載の発明によると、上述した比較的簡単な構成の温度測定用ユニットを用いることにより、燃料電池スタックに対して温度センサを容易に固定することができる。また、温度測定用ユニットの治具は、複数の絶縁板が燃料電池スタックの下方の発電補助部に対向する位置まで設置されるとともに、燃料電池スタックに対応する位置と発電補助部に対応する位置とにセンサ保持部がそれぞれ形成されている。従って、本発明の温度測定用ユニットを用いると、燃料電池スタックの温度に加えて、発電補助部の温度を容易に測定することができる。そして、それら温度の測定結果に基づいて、燃料電池モジュールを効率よく運転させることができる。
【００２５】
さらに、上記課題を解決するための別の手段（手段３）としては、手段１に記載の燃料電池スタックと、断熱部材を用いて構成され、前記燃料電池スタックを収容する断熱容器とを備えたことを特徴とする燃料電池がある。
【００２６】
従って、手段３に記載の発明によると、上述した比較的簡単な構成の温度測定用ユニットを用いることにより、断熱容器内における燃料電池スタックに対して温度センサを容易に固定することができる。また、断熱容器内における燃料電池スタックの温度を容易に測定することができる。そして、その温度の測定結果に基づいて、燃料電池を効率よく運転させることができる。
【００２７】
なお、発電補助部としては、燃料ガスを改質する改質器と、燃料電池スタックから排出される排ガスを浄化する燃焼器とが含まれていてもよい。この場合、改質器や燃焼器の温度を測定することができ、改質器や燃焼器の温度に基づいて、燃料電池モジュール、燃料電池を効率よく運転させることができる。
【図面の簡単な説明】
【００２８】
【図１】第１の実施の形態の燃料電池モジュール、燃料電池を示す概略構成図。
【図２】第１の実施の形態の燃料電池スタックを示す概略断面図。
【図３】第１の実施の形態の温度測定用ユニットを構成する各絶縁板を示す平面図。
【図４】センサ保持部を示す断面図。
【図５】窓部を示す断面図。
【図６】第２の実施の形態の燃料電池モジュール、燃料電池を示す概略構成図。
【図７】第２の実施の形態の温度測定用ユニットを構成する各絶縁板を示す平面図。
【図８】幅が広い温度測定用ユニットを有する別の実施の形態の燃料電池モジュール、燃料電池を示す概略構成図。
【図９】発電補助部まで治具が設置された温度測定用ユニットを有する別の実施の形態の燃料電池モジュール、燃料電池を示す概略構成図。
【発明を実施するための形態】
【００２９】
［第１の実施の形態］
以下、本発明を燃料電池モジュール、燃料電池に具体化した第１の実施の形態を図面に基づき詳細に説明する。
【００３０】
図１に示される本実施の形態の燃料電池モジュール１０、燃料電池１は、固体酸化物形燃料電池（Solid
Oxide Fuel Cell ；ＳＯＦＣ）を有する電池モジュールである。燃料電池モジュール１０は、燃料電池スタック１２と、発電のための補助的な処理を行う発電補助部１３とを用いて構成される。燃料電池１は、燃料電池スタック１２と、断熱材料を用いた断熱容器１４とから構成される。
【００３１】
燃料電池スタック１２は、単セル１１をその厚さ方向（図１では上下方向）に複数積層してなり、例えば縦１８０ｍｍ×横１８０ｍｍ×高さ１２０ｍｍの略直方体形状をなしている。本実施の形態において、燃料電池スタック１２を構成する単セル１１の積層数は、２０枚程度となっている。また、燃料電池スタック１２には、単セル１１の積層方向における両端（図１では上端と下端）に、エンドプレート１５，１６（集電板）が配置されている。さらに、燃料電池スタック１２の周縁部には、同スタック１２を厚さ方向に貫通する複数の貫通穴が形成されている。そして、各貫通穴に締結ボルト１８を挿通させ、燃料電池スタック１２の下面から突出するボルト１８の下端部分にナット１９が螺着されている。このように締結ボルト１８及びナット１９を用いて各エンドプレート１５，１６を各単セル１１の積層方向に締め付けることで、複数の単セル１１が固定されるようになっている。また、燃料電池スタック１２の両端に配置されるエンドプレート１５，１６が、燃料電池スタック１２から出力される電流の出力端子となっている。
【００３２】
図２に示されるように、燃料電池スタック１２を構成する単セル１１は、空気極２１、燃料極２２及び固体電解質層２３を有する平板状部材として構成される。また、燃料電池スタック１２には、単セル１１に加えて、インタコネクタ２４、セパレータ２５、空気極側集電体２７及び燃料極側集電体２８等が設けられ、それらが複数個ずつ積層されている。
【００３３】
より詳しくは、インタコネクタ２４は、ステンレスなどの導電性材料によって形成されており、単セル１１の厚み方向の両側に一対配置される。各インタコネクタ２４により板厚方向での単セル１１間の導通が確保される。単セル１１の間に配置されるインタコネクタ２４は、隣り合う単セル１１を区分する。
【００３４】
セパレータ２５は、ステンレスなどの導電性材料によって形成されており、矩形状の開口部２９を中央部に有する略矩形枠状をなしている。セパレータ２５は、単セル１１間の仕切り板として機能する。
【００３５】
固体電解質層２３は、例えばイットリア安定化ジルコニア（ＹＳＺ）などのセラミック材料（酸化物）によって矩形板状に形成されている。固体電解質層２３は、セパレータ２５の下面に固定されるとともに、セパレータ２５の開口部２９を塞ぐように配置されている。固体電解質層２３は、酸素イオン伝導性固体電解質体として機能するようになっている。
【００３６】
また、固体電解質層２３の上面には、燃料電池スタック１２に供給された酸化剤ガスに接する空気極２１が貼付され、固体電解質層２３の下面には、同じく燃料電池スタック１２に供給された燃料ガスに接する燃料極２２が貼付されている。即ち、空気極２１及び燃料極２２は、固体電解質層２３の両側に配置されている。また、空気極２１は、セパレータ２５の開口部２９内に配置され、セパレータ２５と接触しないようになっている。なお、本実施の形態の単セル１１では、セパレータ２５の下方に燃料室３１が形成されるとともに、セパレータ２５の上方に空気室３２が形成されている。
【００３７】
本実施の形態の単セル１１において、空気極２１は、金属の複合酸化物であるＬＳＣＦ（Ｌａ０．６Ｓｒ０．４Ｃｏ０．２Ｆｅ０．８Ｏ３）によって矩形板状に形成されている。また、燃料極２２は、ニッケルとイットリア安定化ジルコニアとの混合物（Ｎｉ−ＹＳＺ）によって矩形板状に形成されている。空気極２１は、空気極側集電体２７によってインタコネクタ２４に電気的に接続される。燃料極２２は、燃料極側集電体２８によってインタコネクタ２４に電気的に接続されている。空気極側集電体２７は、例えばＳＵＳ４３０系フェライト合金等の緻密な金属板からなる。一方、燃料極側集電体２８は、燃料ガスの通過が可能なように、例えばニッケル製の多孔体からなる。
【００３８】
図１に示されるように、本実施の形態の発電補助部１３は、改質器３６と燃焼器３７とを含んで構成されており、燃料電池スタック１２の下方に配置されている。改質器３６は、燃料ガスと水蒸気とを改質反応させることで水素濃度の高い燃料ガスに改質し、その燃料ガスを燃料電池スタック１２に供給する。この燃料ガスは、燃料電池スタック１２において、各単セル１１の燃料室３１に供給されて、燃料極２２に接することで発電反応に使用される。燃焼器３７は、燃焼触媒を有し、燃料電池スタック１２（単セル１１の燃料室３１）から排出される排ガスをその触媒を用いて燃焼させて浄化する。燃焼器３７で浄化された排ガスは、図示しない排気管を通じて断熱容器１４の外部に排出される。
【００３９】
本実施の形態の燃料電池スタック１２は、発電時の温度を測定するための温度測定用ユニット４０を備えている。温度測定用ユニット４０は、燃料電池スタック１２の側面１２ａに当接して配置される平板状の治具４１と、治具４１の一部（上端部及び下端部）であって燃料電池スタック１２の側面１２ａに当接して位置決め固定される治具固定部４２，４３と、治具４１に設けられたセンサ保持部４４と、各センサ保持部４４に保持された温度センサ４５とを有する。
【００４０】
センサ保持部４４は、治具４１において、単セル１１の積層方向に沿った異なる位置に複数形成されている。本実施の形態で使用される温度センサ４５は、シース熱電対であり、その先端に設けられた温度測定部４５ａ（温接点がある先端部）を挿入した状態で各センサ保持部４４に保持されている。
【００４１】
図３及び図４に示されるように、本実施の形態の治具４１は、長方形状の３枚の絶縁板５１，５２，５３を積層して形成される。より詳しくは、治具４１は、燃料電池スタック１２の側面１２ａに当接する内側絶縁板５１と、燃料電池スタック１２の側面１２ａの反対側に配置される外側絶縁板５２と、内側絶縁板５１と外側絶縁板５２の間に配置される中間絶縁板５３とを有する。各絶縁板５１〜５３は、耐熱性の絶縁材料からなる耐熱絶縁板（本実施の形態ではマイカからなる雲母板）が使用されている。
【００４２】
燃料電池スタック１２の側面１２ａに当接する内側絶縁板５１は、他の絶縁板（外側絶縁板５２及び中間絶縁板５３）よりも厚みが薄く形成されている。具体的には、内側絶縁板５１の厚さは０．５ｍｍ程度であり、外側絶縁板５２及び中間絶縁板５３の厚さは２．０ｍｍ程度である。また、各絶縁板５１〜５３の長さは、燃料電池スタック１２の高さとほぼ等しく１２０ｍｍ程度であり、各絶縁板５１〜５３の幅は、燃料電池スタック１２の幅よりも狭く９０ｍｍ程度である。
【００４３】
外側絶縁板５２には、センサ保持部４４を構成する穴部であり熱電対４５の温度測定部４５ａ（先端部）が挿入されるスリット状の第１貫通穴６１が３箇所に形成されている。外側絶縁板５２において、スリット状の第１貫通穴６１は、絶縁板５２の幅方向（図３の左右方向）に延びるように形成されている。各第１貫通穴６１は、絶縁板５２の長さ方向（図３の上下方向）に等間隔の距離をあけてそれぞれ平行に形成されている。また、中間絶縁板５３には、センサ保持部４４を構成する穴部であり外側絶縁板５２の第１貫通穴６１に連通するとともに第１貫通穴６１よりも長いスリット状の第２貫通穴６２が３箇所に形成されている。中間絶縁板５３において、スリット状の第２貫通穴６２は、絶縁板５３の幅方向（図３の左右方向）に延びるように形成されている。各第２貫通穴６２は、絶縁板５３の長さ方向（図３の上下方向）に等間隔の距離（各第１貫通穴６１と同じ距離）をあけてそれぞれ平行に形成されている。これら外側絶縁板５２の第１貫通穴６１や中間絶縁板５３の第２貫通穴６２は、例えばレーザ加工によって形成される。なお、レーザ加工以外にパンチング加工等の他の加工によって各貫通穴６１，６２を形成してもよい。
【００４４】
そして、各絶縁板５１〜５３を重ね合わせて積層し、それら絶縁板５１〜５３を一体化させる。その結果、燃料電池スタック１２の側面１２ａに当接する内側絶縁板５１がセンサ保持部４４（各貫通穴６１，６２）を塞ぐ形で、治具４１が構成される。図４に示されるように、治具４１において、センサ保持部４４は袋小路状の穴部となり、その端部に熱電対４５の先端にある温度測定部４５ａが配置される。また、治具４１において、内側絶縁板５１の表面がセンサ保持部４４を塞ぐことにより、センサ保持部４４が燃料電池スタック１２の側面１２ａに露出しないようになっている。治具４１におけるセンサ保持部４４は、治具固定部４２を基準位置とした所定の位置に配置される。そして、治具４１における各センサ保持部４４には、複数の熱電対４５がそれぞれ着脱可能な状態で保持される。
【００４５】
図１及び図５に示されるように、本実施の形態の治具４１には、熱電対４５における温度測定部４５ａ以外の配線部分４５ｂがねじれ位置となるように配線部分４５ｂを屈曲させて配置させる窓部６５が形成されている。図３及び図５に示されるように、窓部６５は、外側絶縁板５２に形成された矩形状の貫通穴６６と、中間絶縁板５３に形成された矩形状の切欠部６７とによって構成される。なお、窓部６５を構成する貫通穴６６や切欠部６７も、センサ保持部４４の各貫通穴６１，６２と同様に、レーザ加工によって形成される。
【００４６】
中間絶縁板５３において、切欠部６７は、絶縁板５３の下端から外側絶縁板５２の貫通穴６６と重なる位置まで形成されている。また、内側絶縁板５１が窓部６５（切欠部６７）を塞ぐことにより、窓部６５が燃料電池スタック１２の側面１２ａに露出しないようになっている。そして、熱電対４５の配線部分４５ｂは、窓部６５における外側絶縁板５２の貫通穴６６から中間絶縁板５３の切欠部６７に沿って挿入され、さらに外側絶縁板５２の下端に沿って折り曲げられている。この結果、熱電対４５における配線部分４５ｂは、絶縁が確保されるとともに、ねじれ位置となるように固定される。
【００４７】
治具４１を構成する各絶縁板５１〜５３において、治具固定部としての上端部４２及び下端部４３には、固定穴５８，５９がそれぞれ１つずつ設けられている（図３参照）。本実施の形態では、各絶縁板５２，５３における上端部４２側の固定穴５８の中心を基準位置にして、単セル１１の積層方向（図３では上下方向）に所定の間隔をあけた位置にセンサ保持部４４（第１貫通穴６１及び第２貫通穴６２）が設けられている。
【００４８】
また、燃料電池スタック１２におけるエンドプレート１５，１６の側端面１５ａ，１６ａには、ねじ穴（図示略）が形成されている。そして、治具４１の上端部４２及び下端部４３の固定穴５８，５９と各エンドプレート１５，１６のねじ穴との中心が一致して各穴が連通するように、治具４１（各絶縁板５１〜５３）の位置合わせを行う。その後、治具４１の固定穴５８，５９を介してエンドプレート１５，１６のねじ穴にねじ５５を差し込み、治具４１をねじ止め固定する。このように、各固定穴５８，５９を用いてねじ止めすることにより、燃料電池スタック１２の上端に配置されるエンドプレート１５と下端に配置されるエンドプレート１６との各側端面１５ａ，１６ａに、治具４１の上端部４２及び下端部４３が当接した状態で固定される。また、治具４１を各エンドプレート１５，１６にねじ止めすることで、各絶縁板５１〜５３が一体化された状態で接着剤を用いることなく互いに固定される。さらに、治具４１の固定時には、燃料電池スタック１２の側面１２ａに対して治具４１の内側絶縁板５１全体が面状に接触した状態となる。
【００４９】
本実施の形態において、温度測定用ユニット４０における各熱電対４５の配線部分４５ｂは、燃料電池モジュール１０の外部に設けられた制御装置（図示略）に接続される。その制御装置は、各熱電対４５の検出信号に基づいて燃料電池スタック１２の温度を判定する。そして、制御装置は、燃料電池スタック１２の温度に基づいて、改質水などを供給する給水ポンプ、燃料ガスを供給する燃料ポンプ、酸化剤ガスを供給するエアポンプ等の駆動を制御する。この結果、燃料電池スタック１２の各単セル１１において発電反応が効率よく行われる。
【００５０】
従って、本実施の形態によれば以下の効果を得ることができる。
【００５１】
（１）本実施の形態の燃料電池モジュール１０において、温度測定用ユニット４０は、複数の絶縁板５１〜５３を積層した比較的簡単な構成の治具４１を有しており、治具４１に設けられたセンサ保持部４４に熱電対４５の温度測定部４５ａが挿入された状態で保持されている。この温度測定用ユニット４０を用いることにより、燃料電池スタック１２に対して熱電対４５を容易に固定することができる。つまり、従来技術のように燃料電池スタック１２に対して特殊な加工（絶縁処理などの加工）を施すことなく、熱電対４５を固定することができる。また、治具４１のセンサ保持部４４から熱電対４５が外れた場合や熱電対４５が断線して熱電対４５の固定が外れた場合であっても、絶縁材料からなる平板状の治具４１により、熱電対４５と燃料電池スタック１２との絶縁が確保される。このため、従来のような燃料電池スタック１２と熱電対４５とのショートを防止することができる。
【００５２】
（２）本実施の形態では、温度測定用ユニット４０の治具４１を構成する複数の絶縁板５１〜５３のうち、燃料電池スタック１２の側面１２ａに当接する内側絶縁板５１は、他の絶縁板５２，５３よりも厚みが薄く形成される。このようにすると、センサ保持部４４に保持される熱電対４５は、薄い内側絶縁板５１を介して燃料電池スタック１２の温度を測定することとなるため、温度測定の精度を高めることができる。また、燃料電池スタック１２の側面１２ａに当接しない外側絶縁板５２及び中間絶縁板５３を厚くすることで、治具４１の強度を十分に確保することができる。
【００５３】
（３）本実施の形態の温度測定用ユニット４０において、治具４１における治具固定部としての上端部４２及び下端部４３が燃料電池スタック１２の側面１２ａ（エンドプレート１５，１６の側端面１５ａ，１６ａ）に当接して位置決め固定される。具体的には、治具４１を構成する各絶縁板５１〜５３の上端部４２及び下端部４３には、固定穴５８，５９が設けられるとともに、固定穴５８，５９を用いてねじ止めすることにより、治具４１がエンドプレート１５，１６の側端面１５ａ，１６ａに当接し、かつ複数の絶縁板５１〜５３が積層一体化された状態で固定される。燃料電池スタック１２において、エンドプレート１５，１６は、各単セル１１を締め付けるために十分な強度を有する。また、治具４１を構成する内側絶縁板５１の表面がエンドプレート１５，１６の側端面１５ａ，１６ａに当接することで、治具４１とエンドプレート１５，１６とが面同士の接触となる。そして、その接触部となる治具４１の上端部４２及び下端部４３（治具固定部）に設けられた固定穴５８，５９を用いてエンドプレート１５，１６の側端面１５ａ，１６ａにねじ止めすることにより、治具４１をエンドプレート１５，１６に確実に固定することができる。さらに、ねじ止めによる固定と同時に複数の絶縁板５１〜５３を積層一体化して治具４１を構成できるため、複数の絶縁板５１〜５３を一体化するための部材と固定部材とを別々に設ける必要がなく、治具４１の部品コストを抑えることができる。また、治具４１の各絶縁板５１〜５３をエンドプレート１５，１６にねじ止めにより固定しているので、燃料電池スタック１２に対する温度測定用ユニット４０の着脱を容易に行うことができる。このため、温度測定用ユニット４０における熱電対４５の交換を容易に行うことができ、メンテナンスコストを低く抑えることができる。
【００５４】
（４）本実施の形態の温度測定用ユニット４０において、スリット状の第１貫通穴６１が形成された外側絶縁板５２、スリット状の第２貫通穴６２が形成された中間絶縁板５３、及び内側絶縁板５１の３枚の絶縁板を積層することで治具４１が構成される。そして、このような３枚の絶縁板５１〜５３を積層することにより、外側絶縁板５２の第１貫通穴６１、中間絶縁板５３の第２貫通穴６２、及びそれらを塞ぐ内側絶縁板５１からなるセンサ保持部４４を容易に構成することができる。
【００５５】
（５）本実施の形態の燃料電池モジュール１０では、温度測定用ユニット４０の治具４１において、単セル１１の積層方向に沿った異なる位置にセンサ保持部４４が複数形成されている。この場合、各センサ保持部４４に保持された熱電対４５の測定結果によって、燃料電池スタック１２における単セル１１の積層方向の温度分布を確認することができる。
【００５６】
（６）本実施の形態の燃料電池モジュール１０において、温度測定用ユニット４０の治具４１には、熱電対４５における配線部分４５ｂがねじれ位置となるように配線部分４５ｂを屈曲させて配置させる窓部６５が形成されている。この場合、熱電対４５の配線部分４５ｂに引っ張る方向の力が作用した場合でも窓部６５の部分でその力が抑制されるため、熱電対４５がセンサ保持部４４から抜け難くなる。また、窓部６５に配線部分４５ｂを通すことにより、複数の熱電対４５の配線部分４５ｂを１つに束ねることができるため、他の部材の邪魔になることなく各配線部分４５ｂの配置を容易に行うことができる。
【００５７】
（７）本実施の形態の燃料電池モジュール１０では、温度測定用ユニット４０の治具４１を構成する各絶縁板５１〜５３として、耐熱性の絶縁材料からなる耐熱絶縁板（雲母板）が使用されている。この場合、各絶縁板５１〜５３は、燃料電池モジュール１０の運転温度（７００℃程度の高温）でも化学的に安定であるため、熱電対４５や燃料電池スタック１２と治具４１との間での反応を防止することができる。
［第２の実施の形態］
【００５８】
次に、本発明を燃料電池モジュール、燃料電池に具体化した第２の実施の形態を図６及び図７に基づき説明する。
【００５９】
図６に示されるように、本実施の形態の燃料電池モジュール１０Ａ、燃料電池１では、燃料電池スタック１２に備えられる温度測定用ユニット４０Ａが上記第１の実施の形態と異なり、それ以外の構成は上記第１の実施の形態と同じである。以下、本実施の形態の温度測定用ユニット４０Ａの構成について詳述する。
【００６０】
温度測定用ユニット４０Ａの治具４１Ａも、内側絶縁板５１Ａ、外側絶縁板５２Ａ及び中間絶縁板５３Ａの３枚の絶縁板を積層して形成される（図７参照）。治具４１Ａには、上記第１の実施の形態の治具４１と同様に、３つのセンサ保持部４４及び１つの窓部６５が形成されている。これらセンサ保持部４４及び窓部６５は、配置及びサイズも第１の実施の形態の治具４１と同じであり、治具４１Ａの固定方法が治具４１と異なっている。
【００６１】
詳しくは、上記第１の実施の形態の治具４１は、上端部４２及び下端部４３の２箇所でねじ止めすることで各絶縁板５１〜５３が一体化された状態で互いに固定されていた。これに対して、本実施の形態の治具４１Ａは、各絶縁板５１Ａ〜５３Ａの外周部分がセラミックボンド６０によって互いに接合されて一体化される。また、上記第１の実施の形態の各絶縁板５１〜５３において治具固定部としての上端部４２及び下端部４３に固定穴５８，５９が形成されていたが、本実施の形態の治具４１Ａでは、外側絶縁板５２Ａのみに治具固定部７１（固定穴７２）が形成されている。
【００６２】
具体的には、外側絶縁板５２Ａにおける上端の角部に、タブ状の治具固定部７１が突設されるとともに、その治具固定部７１には、ボルト固定用の固定穴７２が設けられている。本実施の形態では、外側絶縁板５２Ａにおいて、固定穴７２の中心を基準位置にして、単セル１１の積層方向（図７では上下方向）の所定の位置に各センサ保持部４４（第１貫通穴６１及び第２貫通穴６２）が設置されている。また、燃料電池スタック１２におけるエンドプレート１５の端部には、電流出力用の端子（図示しない電流棒）を固定するための部位であって、厚さが他の部位よりも厚く形成された肉厚部７４が形成されており、肉厚部７４の側端面７４ａに、ボルト固定用のねじ穴（図示略）が形成されている。
【００６３】
そして、治具４１Ａにおける外側絶縁板５２Ａの治具固定部７１をエンドプレート１５の肉厚部７４の側端面７４ａに当接させる。なおここでは、治具固定部７１の固定穴７２とエンドプレート１５のねじ穴との中心が一致して各穴が連通するように、治具４１Ａの位置合わせを行う。その後、治具固定部７１の固定穴７２を介してねじ穴にボルト７５を差し込み、治具４１Ａをねじ止め固定する。  この結果、本実施の形態における温度測定用ユニット４０Ａの治具４１Ａが燃料電池スタック１２に固定されて、燃料電池モジュール１０Ａが構成される。燃料電池モジュール１０Ａにおいても、上記第１の実施の形態と同様の効果を得ることができる。また、温度測定用ユニット４０Ａでは、治具４１Ａの固定穴７２は１箇所であるが、サイズの大きなボルト７５を用いて固定することで治具４１Ａを確実に固定することができる。
【００６４】
なお、本発明の各実施の形態は以下のように変更してもよい。
【００６５】
・上記各実施の形態の燃料電池モジュール１０,１０Ａにおいて、温度測定用ユニット４０,４０Ａは、治具４１,４１Ａの３つのセンサ保持部４４にそれぞれ熱電対４５を保持するものであったが、センサ保持部４４及び熱電対４５の個数は適宜変更してもよい。また、治具４１,４１Ａにおいて単セル１１の積層方向に沿った異なる位置に３つのセンサ保持部４４を形成していたが、これに限定されるものではない。図８に示される燃料電池モジュール１０Ｂ、燃料電池１の温度測定用ユニット４０Ｂのように、治具４１Ｂにおいて単セル１１の積層方向（上下方向）に加えて左右方向の異なる位置にもセンサ保持部４４を形成してもよい。なお、治具４１Ｂには、左右３箇所ずつ合計で６箇所にセンサ保持部４４が形成されている。治具４１Ｂでも、外側絶縁板７７において、治具固定部７１の固定穴７２の中心を基準位置にした所定の位置に各センサ保持部４４（第１貫通穴６１及び第２貫通穴６２）が設置されている。また、治具４１Ｂの外側絶縁板７７には、右上の端部に加えて左下の端部にタブ状の治具固定部７１が設けられるとともに、その治具固定部７１に固定穴７２が形成されている。治具４１Ｂは、外側絶縁板７７に加えて、内側絶縁板及び中間絶縁板の３枚の絶縁板からなる。そして、右上の治具固定部７１に形成された固定穴７２を用いて上側のエンドプレート１５にねじ止めされるとともに、左下の治具固定部７１に形成された固定穴７２を用いて下側のエンドプレート１６にねじ止めされる。このねじ止めによって、治具４１Ｂが燃料電池スタック１２の側面１２ａに固定される。
【００６６】
燃料電池モジュール１０Ｂにおいても、上記第１の実施の形態と同様の効果を得ることができる。また、燃料電池モジュール１０Ｂでは、温度測定用ユニット４０Ｂにおける６箇所のセンサ保持部４４に保持された各熱電対４５の測定結果によって、燃料電池スタック１２における温度分布をより正確に確認することができる。さらに、温度測定用ユニット４０Ｂを用いる場合、燃料電池スタック１２の側面１２ａのほぼ全体が治具４１Ｂの絶縁板７７で覆われている。このため、センサ保持部４４から熱電対４５が外れた場合等にて、燃料電池スタック１２と熱電対４５とがショートすることをより確実に防止することができる。
【００６７】
・上記各実施の形態の燃料電池モジュール１０,１０Ａ，１０Ｂにおいて、温度測定用ユニット４０，４０Ａ，４０Ｂの治具４１，４１Ａ，４１Ｂは、燃料電池スタック１２の高さとほぼ等しい長さの各絶縁板５１〜５３，５１Ａ〜５３Ａ，７７を用いて形成されていたが、各絶縁板の長さは適宜変更してもよい。具体的には、例えば、図９に示される燃料電池モジュール１０Ｃ、燃料電池１の温度測定用ユニット４０Ｃのように、各絶縁板（外側絶縁板７８、中間絶縁板及び内側絶縁板）が燃料電池スタック１２の下方の発電補助部１３（改質器３６及び燃焼器３７）に対応する位置まで設置された治具４１Ｃを用いて温度測定用ユニット４０Ｃを構成してもよい。温度測定用ユニット４０Ｃの治具４１Ｃには、燃料電池スタック１２に対応する位置と発電補助部１３に対応する位置とに複数のセンサ保持部４４が形成されている。治具４１Ｃでも、各絶縁板７８において、治具固定部である上端部４２Ａの固定穴５８を基準位置にした所定の位置に各センサ保持部４４（第１貫通穴６１及び第２貫通穴６２）が設置されている。この温度測定用ユニット４０Ｃを用いれば、燃料電池スタック１２の温度に加えて、発電補助部１３の温度を容易に測定することができる。そして、それら温度の測定結果に基づいて、燃料電池モジュール１０Ｃを効率よく運転させることができる。
【００６８】
・上記各実施の形態の燃料電池モジュール１０,１０Ａ〜１０Ｃにおいて、温度測定用ユニット４０,４０Ａ〜４０Ｃの治具４１,４１Ａ〜４１Ｃは、３枚の絶縁板５１〜５３，５１Ａ〜５３Ａ，７７，７８にて構成されていたが、これに限定されるものではなく、２枚や４枚以上の複数の絶縁板にて治具を形成してもよい。具体的には、内側絶縁板及び外側絶縁板の２枚の絶縁板で治具を形成する場合、例えば内側絶縁板に非貫通の溝部を形成するとともに外側絶縁板には溝部に繋がる貫通穴を形成し、内側絶縁板の溝部と外側絶縁板の貫通穴とによってセンサ保持部を構成する。また、上記各実施の形態の治具４１,４１Ａ〜４１Ｃにおいて、熱電対４５の配線部分４５ｂが露出している外側絶縁板５２，５２Ａ,７７，７８の表面を覆うようにカバー用の絶縁板をさらに設けてもよい。このように４枚の絶縁板で治具を形成すると、熱電対４５の配線部分４５ｂを確実に絶縁することができるとともに、配線部分４５ｂの固定を確実に行うことができる。
【００６９】
・上記各実施の形態の燃料電池モジュール１０,１０Ａ〜１０Ｃにおいて、温度測定用ユニット４０,４０Ａ〜４０Ｃの治具４１,４１Ａ〜４１Ｃには、熱電対４５の配線部分４５ｂを挿入する窓部６５が設けられていたが、窓部６５を省略して治具を構成してもよい。
【００７０】
・上記各実施の形態では、温度測定用ユニット４０,４０Ａ〜４０Ｃを構成する治具４１,４１Ａ〜４１Ｃの一部に固定穴５８，５９，７２を形成し、固定穴５８，５９，７２を用いて治具４１,４１Ａ〜４１Ｃを燃料電池スタック１２（エンドプレート１５，１６）に固定するものであったが、これに限定されるものではない。例えば、セラミックボンドを用いて治具の治具固定部を燃料電池スタック１２に固定するように構成してもよい。なおこの場合、セラミックボンドによって複数の絶縁板を互いに接合して一体化することで治具が構成される。さらに、治具の治具固定部として係止爪などの係止部を形成し、それら係止部によって治具を燃料電池スタック１２に固定するように構成してもよい。またこの場合、例えば、燃料電池スタック１２におけるエンドプレート１５の上面やエンドプレート１６の下面などの外面に固定するように治具固定部を形成してもよい。
【００７１】
・上記各実施の形態では、温度測定用ユニット４０,４０Ａ〜４０Ｃの治具４１，４１Ａ〜４１Ｃにおいて、固定穴５８，５９，７２は１箇所または２箇所に設けられていたが、これに限定されるものではない。治具の３箇所以上に固定穴を設け、それら固定穴を用いて治具４１，４１Ａ〜４１Ｃを固定してもよい。
【００７２】
・上記各実施の形態の温度測定用ユニット４０,４０Ａ〜４０Ｃでは、治具４１におけるセンサ保持部４４に温度センサとしての熱電対４５を保持するものであったが、これに限定されるものではない。熱電対４５以外に、例えばサーミスタなどの半導体からなる温度センサをセンサ保持部４４に保持するものであってもよい。
【００７３】
・上記各実施の形態の燃料電池モジュール１０,１０Ａ〜１０Ｃでは、燃料電池スタック１２における１つの側面１２ａに温度測定用ユニット４０,４０Ａ〜４０Ｃが設けられていたが、これに限定されるものではない。燃料電池スタック１２における複数の側面１２ａにそれぞれ温度測定用ユニット４０,４０Ａ〜４０Ｃが設けられていてもよい。
【００７４】
・上記各実施の形態では、固体酸化物形燃料電池を有する燃料電池モジュール１０,１０Ａ〜１０Ｃに具体化するものであったが、これ以外に溶融炭酸塩形燃料電池（ＭＣＦＣ）などの他の燃料電池を有する燃料電池モジュールに具体化してもよい。
【００７５】
・上記各実施の形態では、燃料電池スタック１２を構成する単セル１１は、空気極２１、燃料極２２及び固体電解質層２３を有する平板状部材として構成されていたが、これに限定されるものではない。平板形状の単セル１１以外には、例えば、円筒形状、扁平筒形状などの形状の単セルを複数個スタックしてもよい。
【００７６】
・上記各実施の形態では、発電補助部１３は、断熱容器１４の内部に設置されたが、これに限定されるものではない。発電補助部１３は、例えば、断熱容器１４の外部に設置されてもよい。
【００７７】
次に、特許請求の範囲に記載された技術的思想のほかに、前述した各実施の形態によって把握される技術的思想を以下に列挙する。
【００７８】
（１）手段１において、前記単セルは平板状部材として構成されることを特徴とする燃料電池スタック。
【００７９】
（２）手段１において、前記温度センサは熱電対であり、複数の前記センサ保持部には、複数の前記熱電対がそれぞれ保持されていることを特徴とする燃料電池スタック。
【００８０】
（３）手段１において、前記温度センサは熱電対であり、複数の前記センサ保持部には、複数の前記熱電対がそれぞれ着脱可能な状態で保持されていることを特徴とする燃料電池スタック。
【００８１】
（４）手段１において、前記複数の単セルは、上下方向に積層され、前記治具は、前記単セルの積層方向の上端に配置される前記集電板と下端に配置される前記集電板とにねじ止めされることを特徴とする燃料電池スタック。
【００８２】
（５）手段１において、前記複数の絶縁板は、耐熱性の無機絶縁材料からなることを特徴とする燃料電池スタック。
【００８３】
（６）手段１において、前記複数の絶縁板は、マイカからなる絶縁板であることを特徴とする燃料電池スタック。
【００８４】
（７）手段１において、前記治具は、セラミックボンドによって前記複数の絶縁板を互いに接合して一体化したものであることを特徴とする燃料電池スタック。
【００８５】
（８）手段１において、前記治具を位置決め固定するための治具固定部には固定穴が設けられるとともに、前記固定穴を用いてねじ止めすることにより、前記治具が前記集電板の側端面に当接し、かつ前記複数の絶縁板が積層された状態で接合剤を用いることなく互いに固定されていることを特徴とする燃料電池スタック。
【００８６】
（９）手段１において、前記治具を構成する前記複数の絶縁板のうち、前記燃料電池スタックの側面に当接する内側絶縁板は、前記センサ保持部が前記燃料電池スタックの側面に露出しないように前記センサ保持部を塞いでいることを特徴とする燃料電池スタック。
【００８７】
（１０）手段１において、前記治具は、前記燃料電池スタックの側面に当接する内側絶縁板と、前記燃料電池スタックの側面の反対側に配置される外側絶縁板と、前記内側絶縁板と前記外側絶縁板の間に配置される中間絶縁板とを有し、前記センサ保持部を構成すべく、前記外側絶縁板にはスリット状の第１貫通穴が形成されるとともに、前記中間絶縁板には前記第１貫通穴よりも長いスリット状の第２貫通穴が形成されることを特徴とする燃料電池スタック。
【００８８】
（１１）技術的思想（１０）において、前記固定穴は、前記外側絶縁板の端部に設けられることを特徴とする燃料電池スタック。
【００８９】
（１２）手段１において、前記電解質層は、固体酸化物からなる固体電解質層であることを特徴とする燃料電池スタック。
【００９０】
（１３）手段２において、前記発電補助部には、前記燃料ガスを改質する改質器と、前記燃料電池スタックから排出される排ガスを浄化する燃焼器とが含まれることを特徴とする燃料電池モジュール。
【符号の説明】
【００９１】
１…燃料電池
１０,１０Ａ〜１０Ｃ…燃料電池モジュール
１１…単セル
１２…燃料電池スタック
１２ａ…燃料電池スタックの側面
１３…発電補助部
１４…断熱容器
１５，１６…集電板としてのエンドプレート
１５ａ，１６ａ，７４ａ…集電板の側端面
２１…空気極
２２…燃料極
２３…電解質層としての固体電解質層
４０,４０Ａ〜４０Ｃ…温度測定用ユニット
４１,４１Ａ〜４１Ｃ…治具
４２…治具固定部としての上端部
４３…治具固定部としての下端部
４４…センサ保持部
４５…温度センサとしての熱電対
４５ａ…熱電対の温度測定部
４５ｂ…熱電対の配線部分
５１，５１Ａ…内側絶縁板
５２，５２Ａ，７７，７８…外側絶縁板
５３，５３Ａ…中間絶縁板
５８，５９，７２…固定穴
６５…窓部
７１…治具固定部
【図１】
0006359366.tif 000002
【図２】
0006359366.tif 000003
【図３】
0006359366.tif 000004
【図４】
0006359366.tif 000005
【図５】
0006359366.tif 000006
【図６】
0006359366.tif 000007
【図７】
0006359366.tif 000008
【図８】
0006359366.tif 000009
【図９】
0006359366.tif 000010